(57)【要約】【課題】比較的簡易な回路で表示パネルを高速駆動することができる電気光学装置、電気光学装置の駆動方法及び電気機器を提供する。【解決手段】画素１２０に、表示階調に応じた画素電圧を印加する直前の１フレーム期間より短い所定期間、常に所定の電圧ＶODを印加する。走査線駆動回路１０は、１フレーム期間に、各走査線３１１に所定期間をもって２回ずつ選択電圧を供給し、データ線駆動回路２０は、走査線駆動回路１０で選択された走査線３１１に対応する画素に対し、前記加速電圧に対応した加速信号を、データ線２１１を介して供給した後、前記所定期間後に、前記画素電圧に対応した画像信号を、データ線２１１を介して供給する。【選択図】図３
2008275968.tif 000002
【特許請求の範囲】
【請求項１】
複数の走査線と、複数のデータ線と、前記複数の走査線と前記複数のデータ線との交差に対応して設けられた複数の画素と、を備える電気光学装置において、
前記画素に、表示階調に応じた画素電圧を印加する直前の１フレーム期間より短い所定期間、常に所定の電圧を印加することを特徴とする電気光学装置。
【請求項２】
前記走査線に対して所定の順番で選択電圧を供給する走査線駆動回路と、
選択された走査線に対応する画素に対し、所定の信号を、前記データ線を介して供給するデータ線駆動回路と、を備え、
前記走査線駆動回路は、前記走査線に選択電圧を順次供給する第１の選択回路と、該第１の選択回路による選択電圧の供給の１フレーム期間より短い所定期間前に、前記走査線に選択電圧を供給する第２の選択回路とを有し、
前記データ線駆動回路は、前記第１の選択回路で選択された走査線に対応する画素に対し、前記画素電圧に対応した画像信号を、前記データ線を介して供給し、前記第２の選択回路で選択された走査線に対応する画素に対し、前記所定の電圧に対応した信号を、前記データ線を介して供給することを特徴とする請求項１に記載の電気光学装置。
【請求項３】
前記第２の選択回路は、前記走査線に選択電圧を順次供給することを特徴とする請求項２に記載の電気光学装置。
【請求項４】
前記データ線駆動回路は、周期的に極性反転させた画像信号を前記画素に対して供給するものであって、前記第２の選択回路は、同一極性の画像信号を供給する画素に対応した近接する複数の走査線に、選択電圧を同時に供給することを特徴とする請求項２に記載の電気光学装置。
【請求項５】
前記画素は、データ線、走査線、及び画素電極に接続されると共に、接続された当該走査線が選択されたときに前記画素電極が前記データ線と導通状態となる画素スイッチング素子と、前記画素電極とコモン電極との間に介挿された画素容量と、前記画素電極と前記走査線毎に設けられた容量線との間に介挿された蓄積容量と、を有し、
前記走査線に対して所定の順番で選択電圧を順次供給する走査線駆動回路と、
選択された走査線に対応する画素に対し、当該画素の表示階調に応じた画像信号を、前記データ線を介して供給するデータ線駆動回路と、
前記走査線駆動回路により前記選択電圧を供給する前又は後の１フレーム期間より短い所定期間、前記容量線の電圧を変化させることで、前記画素に前記所定の電圧を印加する容量線駆動回路と、を備えることを特徴とする請求項１に記載の電気光学装置。
【請求項６】
前記請求項１乃至５の何れか１項に記載の電気光学装置を備える電気機器。
【請求項７】
複数の走査線と、複数のデータ線と、前記複数の走査線と前記複数のデータ線との交差に対応して設けられた複数の画素と、を備える電気光学装置の駆動方法において、
前記画素に、表示階調に応じた画素電圧を印加する直前の１フレーム期間より短い所定期間、常に所定の電圧を印加することを特徴とする電気光学装置の駆動方法。
【発明の詳細な説明】
【技術分野】
【０００１】
本発明は、例えば、液晶などの電気光学物質を用いた電気光学装置、電気光学装置の駆動方法及びこの電気光学装置を有する電気機器に関する。
【背景技術】
【０００２】
従来の液晶駆動装置としては、第１のフィールドでの液晶に印加する電圧値に相当するデータを記憶するフィールドメモリを備え、液晶パネルの任意の画素に印加する電圧の１フィールド間或いは数フィールド間の状態と液晶分子の温度状態とによって、印加する映像信号電圧値を補正することで、温度が低く液晶分子の応答速度が遅い場合であっても、適正な画像表示を実現するというものが知られている（例えば、特許文献１参照）。
【０００３】
また、フレームメモリとルックアップテーブルとを用いてオーバードライブを行う液晶パネル駆動装置としては、上記ルックアップテーブルを温度に対応して複数種類設け、周囲の温度に応じて当該ルックアップテーブルを選択的に切り替えて用いるというものが知られている（例えば、特許文献２参照）。
【特許文献１】特開平３−１３５１８０号公報
【特許文献２】特開２００４−１３３１５９号公報
【発明の開示】
【発明が解決しようとする課題】
【０００４】
しかしながら、上記各特許文献に記載の従来装置にあっては、前フレームと現フレームでの画素電圧の変化の状態や周囲の温度に応じてオーバードライブ電圧（補償電圧）を設定しているため、フレームメモリやルックアップテーブル、温度センサが必要となり、回路規模が大きくなる。特に携帯機器では、広い温度範囲での使用が前提となるため、温度毎に対応した複数のルックアップテーブルが必要となり、さらに回路規模が大きくなることが懸念される。
【０００５】
また、１フレーム期間オーバードライブ電圧を印加する構成となっており、オーバードライブ電圧が例えば僅かに過剰になっても、オーバーシュート等の表示不良となってしまうため、精度の高い制御が要求される。
そこで、本発明は、比較的簡易な回路で表示パネルを高速駆動することができる電気光学装置、電気光学装置の駆動方法及び電気機器を提供することを課題としている。
【課題を解決するための手段】
【０００６】
上記課題を解決するために、第１の発明に係る電気光学装置は、複数の走査線と、複数のデータ線と、前記複数の走査線と前記複数のデータ線との交差に対応して設けられた複数の画素と、を備える電気光学装置において、
前記画素に、表示階調に応じた画素電圧を印加する直前の１フレーム期間より短い所定期間、常に所定の電圧を印加することを特徴としている。
【０００７】
これにより、前フレームと現フレームとのデータの差によらずに常に所定の電圧を印加するので、フレームメモリやルックアップテーブルを設ける必要がなくなり、回路規模が大きくなるのを抑制することができると共に、表示パネルの応答を早めて画像表示の品質を向上させることができる。
また、第２の発明は、第１の発明において、前記走査線に対して所定の順番で選択電圧を供給する走査線駆動回路と、
選択された走査線に対応する画素に対し、所定の信号を、前記データ線を介して供給す
るデータ線駆動回路と、を備え、
前記走査線駆動回路は、前記走査線に選択電圧を順次供給する第１の選択回路と、該第１の選択回路による選択電圧の供給の１フレーム期間より短い所定期間前に、前記走査線に選択電圧を供給する第２の選択回路とを有し、
前記データ線駆動回路は、前記第１の選択回路で選択された走査線に対応する画素に対し、前記画素電圧に対応した画像信号を、前記データ線を介して供給し、前記第２の選択回路で選択された走査線に対応する画素に対し、前記所定の電圧に対応した信号を、前記データ線を介して供給することを特徴としている。
【０００８】
これにより、走査線駆動回路は各走査線に１フレーム期間に２回ずつ選択電圧を供給するので、先ず、選択した走査線に対応する画素に対し所定の電圧が印加され、その後、所定期間後に表示階調に応じた画素電圧が印加される。そのため、フレームメモリやルックアップテーブル等を設けることなく、表示パネルの応答を早めて画像表示の品質を向上させることができる。
【０００９】
さらに、第３の発明は、第２の発明において、前記第２の選択回路は、前記走査線に選択電圧を順次供給することを特徴としている。
これにより、各走査線において、第１の選択回路による選択電圧の供給の一定時間前に、第２の選択回路による選択電圧の供給を行うことができる。したがって、比較的簡易な回路構成で、各走査線に対する前記所定の電圧の印加を実現することができる。
【００１０】
また、第４の発明は、第２の発明において、前記データ線駆動回路は、周期的に極性反転させた画像信号を前記画素に対して供給するものであって、前記第２の選択回路は、同一極性の画像信号を供給する画素に対応した近接する複数の走査線に、選択電圧を同時に供給することを特徴としている。
これにより、複数の走査線に対応する画素に前記所定の電圧を同時に印加するので、本書き込み期間を確保したまま、前記所定の電圧を印加する期間を捻出することができる。そのため、低温時など、画素スイッチング素子の書き込み能力が低下した場合であっても、書き込み不足を抑制することができる。
【００１１】
さらにまた、第５の発明は、第１の発明において、前記画素は、データ線、走査線、及び画素電極に接続されると共に、接続された当該走査線が選択されたときに前記画素電極が前記データ線と導通状態となる画素スイッチング素子と、前記画素電極とコモン電極との間に介挿された画素容量と、前記画素電極と前記走査線毎に設けられた容量線との間に介挿された蓄積容量と、を有し、
前記走査線に対して所定の順番で選択電圧を順次供給する走査線駆動回路と、
選択された走査線に対応する画素に対し、当該画素の表示階調に応じた画像信号を、前記データ線を介して供給するデータ線駆動回路と、
前記走査線駆動回路により前記選択電圧を供給する前又は後の１フレーム期間より短い所定期間、前記容量線の電圧を変化させることで、前記画素に前記所定の電圧を印加する容量線駆動回路と、を備えることを特徴としている。
【００１２】
これにより、本書き込みより手前の所定期間、画素電圧の絶対値を容量線の電圧を変化させる前と比較して大きくすることができ、画素に前記所定の電圧を印加することができる。そのため、フレームメモリやルックアップテーブル等を設けることなく、表示パネルの応答を早めて画像表示の品質を向上させることができる。また、本書き込み期間を全く短くすることなく、前記所定の電圧を印加する期間を捻出することができるため、低温時など、画素スイッチング素子の書き込み能力が低下した場合であっても、書き込み不足を確実に防止することができる。
【００１３】
或いは、表示階調に応じた電圧に所定の電圧だけ加減算した電圧を本書き込み時に画素に印加しておき、本書き込みから所定の期間が経過した後に、容量線の電圧を変化させて、画素電圧の絶対値を小さくし、表示階調に応じた画素電圧にすることでも、同様に表示パネルの応答を早めることができる。
さらに、第６の発明の電気機器は、第１乃至第５の発明の何れか１つの電気光学装置を備えることを特徴としている。
【００１４】
これにより、パネルの高速応答を実現した電気機器とすることができる。
また、第７の発明の電気光学装置の駆動方法は、複数の走査線と、複数のデータ線と、前記複数の走査線と前記複数のデータ線との交差に対応して設けられた複数の画素と、を備える電気光学装置の駆動方法において、
前記画素に、表示階調に応じた画素電圧を印加する直前の１フレーム期間より短い所定期間、常に所定の電圧を印加することを特徴としている。
【００１５】
これにより、前フレームと現フレームとのデータの差によらずに常に所定の電圧を印加することができるので、フレームメモリやルックアップテーブルを設ける必要がなくなり、回路規模が大きくなるのを抑制することができると共に、表示パネルの応答を早めて画像表示の品質を向上させることができる電気光学装置の駆動方法とすることができる。
【発明を実施するための最良の形態】
【００１６】
以下、本発明の実施の形態を図面に基づいて説明する。
図１は、第１の実施形態における電気光学装置１の構成を示すブロック図である。
この図１に示すように、電気光学装置１は、表示領域１００を有し、この表示領域１００の周辺に、走査線駆動回路１０、データ線駆動回路２０が配置された周辺回路内蔵型のパネル構造となっている。また制御回路３０は、上記周辺回路内蔵型のパネルと、例えばＦＰＣ（flexible printed circuit）基板によって接続されている。
【００１７】
表示領域１００は、画素１２０が配列する領域であり、本実施形態では、３２０行の走査線３１１が行（Ｘ）方向に延在すると共に、２４０列のデータ線２１１が列（Ｙ）方向に延在しており、これらの３２０行の走査線３１１と２４０列のデータ線２１１との交差に対応して、画素１２０がそれぞれ配列している。
なお、本実施形態では、画素１２０が表示領域１００において、縦３２０行×横２４０列でマトリクス状に配列している場合について説明するが、本発明をこの配列に限定する趣旨ではない。
【００１８】
次に、画素１２０の詳細な構成について説明する。
図２は、画素１２０の構成を示す図であり、ｉ行及びこれに隣接する（ｉ＋１）行と、ｊ列及びこれに隣接する（ｊ＋１）列との交差に対応する２×２の計４画素分の構成を示している。
この図２に示すように、各画素１２０は、画素容量（液晶容量）１３０と、スイッチング素子として機能するｎチャンネル型の薄型トランジスタ（以下、ＴＦＴと称す）２４１とを有する。各画素１２０については互いに同一構成であるため、ｉ行ｊ列に位置するもので代表して説明すると、当該ｉ行ｊ列の画素１２０において、ＴＦＴ２４１のゲートはｉ行目の走査線３１１に接続され、そのソースはｊ列目のデータ線２１１に接続され、そのドレインは画素容量１３０の一端たる画素電極２３１に接続されている。
【００１９】
また、画素容量１３０の他端は、コモン電極１１０である。このコモン電極１１０にはコモン電圧Ｖｃｏｍが印加されており、図１に示されるように、全ての画素１２０にわたって共通である。ここで、コモン電圧Ｖｃｏｍは、論理信号のＨレベルに相当する電圧Ｖｄｄと論理信号のＬレベルに相当する電圧Ｖｓｓとの中間電圧Ｖｃで一定である。また、
本実施形態では、電圧Ｖｓｓは接地電位Ｇｎｄであって、電圧ゼロの基準とする。
【００２０】
そして、画素容量１３０では、画素電極２３１とコモン電極１１０との差電圧が保持されると共に、画素容量１３０の透過（または反射）光量が、当該保持電圧の実効値に応じて変化する構成となっている。
この電気光学装置１では、コモン電極１１０の電圧を基準電圧として、この基準電圧よりも高い電圧でデータ線３１１に画像信号を供給する正極性書込と、基準電圧よりも低い電圧でデータ線３１１に画像信号を供給する負極性書込とを交互に行う。
【００２１】
ところで、ＴＦＴ２４１はオフ状態であっても、そのオフ抵抗が理想的な無限大にならないので、画素容量１３０に蓄積された電荷が当該ＴＦＴ２４１を介して少なからずリークする。このリークにより画素容量１３０の保持電圧が低下するのを抑えるために、蓄積容量１４０が画素毎に形成されている。この蓄積容量１４０の一端は、画素電極２３１（ＴＦＴ２４１のドレイン）に接続され、その他端は、コモン電極１１０に接続されている。これにより、画素１２０毎に、画素容量１３０と蓄積容量１４０とが、ＴＦＴ２４１のドレインとコモン電極１１０との間において並列的に接続されるので、ＴＦＴ２４１のオフリークの影響が低減されるようになっている。
【００２２】
なお、液晶にかかる電界方向を基板面垂直方向とした場合、蓄積容量１４０の他端が形成される基板とコモン電極１１０が形成される基板とは互いに別々になるが、図示しない導通材により、蓄積容量１４０の他端とコモン電極１１０との電気的な接続を図ることにより、図２に示されるような回路構成にすることができる。また、この蓄積容量１４０の他端とコモン電極１１０とは、両者間の電圧が一定であれば、必ずしも同電位である必要はない。
【００２３】
図１の制御回路３０は、各種制御信号を出力して電気光学装置１における各部の制御等をするものである。ここで、上記制御信号については、適宜後述するものとする。
走査線駆動回路１０は、制御回路３０による制御にしたがって、走査線３１１を所定の順番で選択すると共に、選択した走査線３１１に対しＨレベルに相当する選択電圧Ｖｄｄを、それ以外の走査線３１１に対しＬレベルに相当する非選択電圧Ｖｓｓを、それぞれ走査信号として供給するものである。
【００２４】
以下、１、２、３、…、３２０行目の走査線３１１に供給される走査信号を、それぞれＹ１、Ｙ２、Ｙ３、…、Ｙ３２０と表記し、走査信号について特に行を特定しないで一般的に説明する場合にはＹｉと表記する。また、１、２、３、…、２４０列目のデータ線２１１に供給されるデータ信号を、それぞれＸ１、Ｘ２、Ｘ３、…、Ｘ２４０と表記し、特に列を指定しないで一般的に説明する場合にはＸｊと表記する。
【００２５】
詳細には、走査線駆動回路１０は、少なくとも２つのシフトレジスタを有し、第１のシフトレジスタで、制御回路３０から供給されるスタートパルスＤｙ１をクロック信号Ｃｌｙ１にしたがって順次シフトすることによって、走査信号Ｙ１、Ｙ２、Ｙ３、…、Ｙ３２０をこの順番で順次Ｈレベルとし、実際に表示させようとする階調に見合った画素電圧とは関係の無い所定の電圧ＶODを書き込む所謂加速電圧書き込みを行うために、走査線３１１を順次駆動する。以下、液晶の応答の遅さを改善する（液晶の応答速度を加速させる）ために本書き込みを開始する前の１フレーム期間より短い期間に所定の電圧を印加する電圧を加速電圧ということにする。
【００２６】
また、走査線駆動回路１０は、第２のシフトレジスタで、制御回路３０からスタートパルスＤｙ１より所定時間（例えば、１０水平走査期間（１０Ｈ））遅れて供給されるスタートパルスＤｙ２をクロック信号Ｃｌｙ２にしたがって順次シフトすることによって、走
査信号Ｙ１、Ｙ２、Ｙ３、…、Ｙ３２０をこの順番で順次Ｈレベルとし、実際に表示させようとする階調に見合った画素電圧を書き込む所謂本書き込みを行うために、走査線３１１を順次駆動する。
【００２７】
つまり、走査線駆動回路１０は、１フレームの画面を表示するのに要する期間である１フレーム期間に、走査線３１１を前記所定時間の間隔をもって２回選択する。ここで、各走査線３１１は互いに重畳しないように選択するものとし、本実施形態では、１水平走査期間（１Ｈ）を２分割し、前半を本書き込み期間、後半を加速電圧書き込み期間とする。
ここで、第１のシフトレジスタが第２の選択回路に対応し、第２のシフトレジスタが第１の選択回路に対応している。
【００２８】
なお、本実施形態では、走査線駆動回路１０をレジスタ方式で駆動するものとして説明したが、デコーダ方式等で駆動することもできる。
データ線駆動回路２０は、走査線駆動回路１０により走査線３１１が選択された際に、各データ線２１１に所定の信号を供給するものである。
詳細には、データ線駆動回路２０は、本書き込みを行う場合には、走査線駆動回路１０により選択される走査線３１１に位置する画素１２０の表示階調（制御回路３０から供給される表示データＤａで指定された階調）に見合った電圧であって、制御回路３０から供給される極性指定信号Ｐｏｌで指定された書込極性に応じた電圧のデータ信号（画像信号）を、データ線２１１に供給する。
【００２９】
また、データ線駆動回路２０は、加速電圧書き込みを行う場合には、予め設定した所定電圧であって、極性指定信号Ｐｏｌで指定された書込極性に応じた電圧のデータ信号（加速信号）を、データ線２１１に供給する。このように、加速電圧書き込みを行う場合、前記画像信号と同じ極性の加速信号をデータ線２１１に供給する。
ここで、本実施形態ではノーマリーブラックモードとし、上記加速電圧ＶODは白表示に必要な電圧に設定するものとする。なお、ノーマリーホワイトモードとする場合には、当該加速電圧ＶODは、黒表示に必要な電圧に設定する。
【００３０】
また、極性指定信号Ｐｏｌは、Ｈレベルであれば、奇数行の走査線に対して正極性書込を指定し、偶数行の走査線に対して負極性書込を指定する一方、Ｌレベルであれば、奇数行の走査線に対して負極性書込を指定し、偶数行の走査線に対して正極性書込を指定する信号であり、あるフレームの期間にわたってＨレベルに維持され、次のフレームでは論理反転してＬレベルとなる。このため、本実施形態では、画素への書き込み極性が１行毎に反転する１Ｈライン反転駆動方式となる。ここで、１フレーム周波数は、例えば６０Ｈｚとする。
【００３１】
このように、極性指定信号Ｐｏｌを１フレームの期間毎に論理反転させて、書込極性を反転することにより、直流成分の印加による液晶の劣化を防止することができる。
次に、第１の実施形態の動作について説明する。
図３は、第１の実施形態の動作を説明するためのタイムチャートである。
この図３において、Ｙｉはｉ行目の走査線３１１の信号、Ｘｊはデータ線２１１の信号（ＴＦＴ２４１のソース電圧）である。また、Ｖｃは正極性書込における画像信号および負極性書込における画像信号の中心電圧である。なお、ここでは、説明を簡略化するために、加速電圧書き込みの３．５Ｈ後に、本書き込みが行われるものとする。
【００３２】
あるフレーム期間において、時刻ｔ１から時刻ｔ２までの間、走査線駆動回路１０の第２の選択回路によって最初にｉ行目の走査線３１１が選択されて、走査信号ＹｉがＨレベルとなる。このとき、走査信号ＹｉがＨレベルとなるタイミングで、データ線駆動回路２０は、各データ線２１１に加速電圧ＶODに対応したデータ信号Ｘ１、Ｘ２、Ｘ３、…、Ｘ
２４０を供給する。
【００３３】
走査信号ＹｉがＨレベルになると、ｉ行目の走査線３１１に対応する画素におけるＴＦＴ２４１がオンするので、これらの画素電極２３１には、データ信号Ｘ１、Ｘ２、Ｘ３、…、Ｘ２４０が印加される。これにより、ｉ行１列〜ｉ行２４０列の画素容量１３０及び蓄積容量１４０の並列容量には、それぞれ加速電圧ＶODに応じた正極性の電圧が書き込まれる。
【００３４】
次に、時刻ｔ３から時刻ｔ４までの間、走査線駆動回路１０の第２の選択回路によってｉ＋１行目の走査線３１１が選択されて、走査信号Ｙｉ＋１がＨレベルとなる。このとき、走査信号Ｙｉ＋１がＨレベルとなるタイミングで、データ線駆動回路２０は、各データ線２１１に加速電圧ＶODに対応したデータ信号Ｘ１、Ｘ２、Ｘ３、…、Ｘ２４０を供給する。これにより、ｉ＋１行１列〜ｉ＋１行２４０列の画素容量１３０及び蓄積容量１４０の並列容量には、それぞれ加速電圧ＶODに応じた負極性の電圧が書き込まれる。
【００３５】
同様に、時刻ｔ５から時刻ｔ６までの間、ｉ＋２行１列〜ｉ＋２行２４０列の画素容量１３０及び蓄積容量１４０の並列容量に、それぞれ加速電圧ＶODに応じた正極性の電圧が書き込まれ、時刻ｔ７から時刻ｔ８までの間、ｉ＋３行１列〜ｉ＋３行２４０列の画素容量１３０及び蓄積容量１４０の並列容量に、それぞれ加速電圧ＶODに応じた負極性の電圧が書き込まれる。
【００３６】
そして、時刻ｔ８から時刻ｔ９までの間、走査線駆動回路１０の第１の選択回路によってｉ行目の走査線３１１が選択されて、走査信号ＹｉがＨレベルとなる。このとき、走査信号ＹｉがＨレベルとなるタイミングで、データ線駆動回路２０は、各データ線２１１に、ｉ行目の走査線３１１に対応する画素の表示データＤａで指定された電圧のデータ信号Ｘ１、Ｘ２、Ｘ３、…、Ｘ２４０をそれぞれ供給する。これにより、ｉ行１列〜ｉ行２４０列の画素容量１３０及び蓄積容量１４０の並列容量には、それぞれ表示階調に応じた正極性の電圧が書き込まれる。
【００３７】
また、時刻ｔ１０から時刻ｔ１１までの間、走査線駆動回路１０の第１の選択回路によってｉ＋１行目の走査線３１１が選択されて、走査信号Ｙｉ＋１がＨレベルとなる。このとき、走査信号Ｙｉ＋１がＨレベルとなるタイミングで、データ線駆動回路２０は、各データ線２１１に、ｉ＋１行目の走査線３１１に対応する画素の表示データＤａで指定された電圧のデータ信号Ｘ１、Ｘ２、Ｘ３、…、Ｘ２４０をそれぞれ供給する。これにより、ｉ＋１行１列〜ｉ＋１行２４０列の画素容量１３０及び蓄積容量１４０の並列容量には、それぞれ表示階調に応じた負極性の電圧が書き込まれる。
【００３８】
すなわち、ｉ行目の走査線３１１に着目すると、時刻ｔ１で各データ線３１１に加速電圧ＶODが書き込まれるため、この時刻ｔ１から本書き込みがなされる時刻ｔ８までの３．５Ｈ期間は、各データ線３１１に印加される電圧は加速電圧ＶODを維持する。また、時刻ｔ８から次の加速電圧書き込みが行われるまでの期間は、各データ線３１１に印加される電圧はそれぞれ表示階調に応じた画素電圧を維持する。このように、本書き込みが行われる前の一定期間（ここでは、３．５Ｈ）、加速電圧が印加される。
【００３９】
なお、図示しないが、時刻ｔ２から時刻ｔ３までの間は、ｉ−３行目の走査線３１１の本書き込みが行われており、時刻ｔ４から時刻ｔ５までの間は、ｉ−２行目の走査線３１１の本書き込みが行われており、時刻ｔ６から時刻ｔ７までの間は、ｉ−１行目の走査線３１１の本書き込みが行われている。また、時刻ｔ９から時刻ｔ１０までの間は、ｉ＋４行目の走査線３１１の加速電圧書き込みが行われており、時刻ｔ１１から時刻ｔ１２までの間は、ｉ＋５行目の走査線３１１の加速電圧書き込みが行われている。
【００４０】
このように、１水平走査期間（１Ｈ）を２分割し、前半を本書き込み期間、後半を加速電圧書き込み期間とすることで、各走査線３１１を互いに重畳しないように駆動することができる。
ところで、表示装置に用いられる液晶の応答の遅さを改善するためには、現在のフレームの入力画像信号と１フレーム前の入力画像信号とに応じて、現在フレームの画像信号が１フレーム前よりも大きい場合には、現在フレームの画像信号より大きい画像信号で液晶を駆動し、逆に現在フレームの画像信号が１フレーム前よりも小さい場合には、現在フレームの画像信号より小さい画像信号で液晶を駆動する、所謂オーバードライブ駆動を行うというのが一般的である。
【００４１】
図４は、一般的なオーバードライブ駆動と本実施形態におけるオーバードライブ駆動との違いを示す概念図である。
図４（ａ）に示すように、３フレーム目から４フレーム目にかけて透過率が変化し、印加する画素電圧が変化する場合、一般的なオーバードライブ駆動では、図４（ｂ）のαに示すように、透過率の変化前後の状態に応じたオーバードライブ電圧を、透過率が変化した時点から１フレーム期間印加する。
【００４２】
このようなオーバードライブ駆動を行う液晶駆動装置としては、第１のフィールドでの液晶に印加する電圧値に相当するデータを記憶するフィールドメモリを備え、液晶パネルの任意の画素に印加する電圧の１フィールド間或いは数フィールド間の状態と、液晶分子の温度状態によって印加する映像信号電圧値を補正することで、温度が低く液晶分子の応答速度が遅い場合であっても、適正な画像表示を実現するというものがある。
【００４３】
また、フレームメモリとルックアップテーブルとを用いてオーバードライブ駆動を行う液晶パネル駆動装置としては、上記ルックアップテーブルを温度に対応して複数種類設け、周囲の温度に応じて当該ルックアップテーブルを選択的に切り替えて用いるというものがある。
しかしながら、これらの場合、前フレームと現フレームでの画素電圧の変化の状態や周囲の温度に応じてオーバードライブ電圧（補償電圧）を設定しているため、フレームメモリやルックアップテーブル、温度センサが必要となり、回路規模が大きくなる。特に携帯機器では、広い温度範囲での使用が前提となるため、温度毎に対応した複数のルックアップテーブルが必要となり、さらに回路規模が大きくなる。
【００４４】
また、１フレーム期間オーバードライブ電圧を印加する構成となっているため、オーバードライブ電圧が例えば僅かに過剰になっても、オーバーシュート等の表示不良となってしまうため、精度の高い制御が要求される。
これに対して、第１の実施形態では、図４（ｃ）のβに示すように、本書き込みを開始する前の１フレーム期間より短い期間（例えば、１０Ｈ期間）、常に加速電圧を印加する。これにより、例えば、黒状態の液晶を中間調へ変化させる場合に、加速電圧の印加によって液晶の配向変化が速くなり、その後、所定の表示画素電圧の印加によって所望の階調表示となる。即ち、加速電圧は、液晶の応答速度を速めるためだけに作用し、階調表示には影響し難い。このように、フレームメモリやルックアップテーブルを必要とすることなく、液晶の応答速度を速めることができる。
【００４５】
また、本書き込みを開始する前の１フレーム期間より短い期間だけ加速電圧ＶODを印加するので、加速電圧ＶODが僅かに過剰になることに起因するオーバーシュート等の表示不良の発生を抑制することができる。
このように、第１の実施形態では、画素に対して、表示階調に応じた画素電圧を印加する直前の所定期間、常に所定の電圧を印加するので、前フレームと現フレームとのデータ
の差によらずに常に所定の電圧を印加することができる。そのため、フレームメモリやルックアップテーブルを設ける必要がなくなり、回路規模が大きくなるのを抑制することができると共に、表示パネルの応答を早めて画像表示の品質を向上させることができる。
【００４６】
また、走査線駆動回路は、走査線に選択電圧を順次供給する第１の選択回路と、該第１の選択回路による選択電圧の供給の所定期間前に、前記走査線に選択電圧を供給する第２の選択回路とを有し、データ線駆動回路は、前記第１の選択回路で選択された走査線に対応する画素に対し、画素電圧に対応した画像信号を、データ線を介して供給し、前記第２の選択回路で選択された走査線に対応する画素に対し、前記所定の電圧に対応した信号を、データ線を介して供給する。
【００４７】
したがって、走査線駆動回路は、常に走査線に対し１フレーム期間に２回選択電圧を供給するので、先ず、選択した走査線に対応する画素に対し所定の加速電圧が印加され、その後、所定期間後に表示階調に応じた画素電圧が印加される。そのため、フレームメモリやルックアップテーブル等を設けることなく、表示パネルの応答を早めて画像表示の品質を向上させることができる。
【００４８】
さらに、第２の選択回路は走査線に選択電圧を順次供給するので、各走査線において、第１の選択回路による選択電圧の供給の一定期間前に、第２の選択回路による選択回路の供給を行うことができ、比較的簡易な回路構成で、各走査線に対する加速電圧の印加を実現することができる。
なお、上記第１の実施形態においては、１水平走査期間を、本書き込み期間と加速電圧書き込み期間とで２等分する場合について説明したが、加速電圧は正確な電圧にならなくても良いことから、加速電圧書き込み期間を本書き込み期間に比べて短く設定することもできる。また、加速電圧での画素極性を本書き込みの画素極性と同じにすることで、本書き込みが容易になる。これらにより、本書き込み期間が短いことに起因する書き込み不足を抑制することができる。
【００４９】
さらに、上記第１の実施形態においては、加速電圧ＶODを温度によらず一定とする場合について説明したが、温度が高くなるにしたがって、加速電圧値や加速電圧の印加時間を小さくする制御を付け加えることもできる。この場合にも、電圧、時間の一方あるいは両方の温度に関する関数（又はテーブル）を用意するだけで実現可能であり、フレームメモリは不要であるため、回路規模が大きくなる心配はない。これにより、例えば使用温度が高くなり、液晶の粘性が低くなった場合であっても、加速電圧による光学応答が階調表示に影響することを防止することができる。
【００５０】
次に、本発明における第２の実施形態について説明する。
この第２の実施形態は、前述した第１の実施形態において、走査線を順次駆動して加速電圧を印加しているのに対し、複数本の走査線を同時に駆動して加速電圧を印加するようにしたものである。
すなわち、第２の実施形態における電気光学装置１は、走査線駆動回路１０の駆動方式が第１の実施形態における走査線駆動回路１０と異なる点を除いては、前述した第１の実施形態と同様の構成を有するため、構成の異なる部分を中心に説明する。
【００５１】
走査線駆動回路１０は、制御回路３０から供給される制御信号にしたがって、走査信号Ｙ１、Ｙ２、Ｙ３、…、Ｙ３２０をこの順番でＨレベルとし、実際に表示させようとする階調に見合った電圧を書き込む所謂本書き込みを行うために、走査線３１１を順次駆動する。
また、走査線駆動回路１０は、上記本書き込みの前に所定の加速電圧ＶODを書き込むために、走査信号Ｙ１とＹ３、Ｙ２とＹ４、Ｙ５とＹ７、…、Ｙ３１８とＹ３２０をこの順
番で２つずつＨレベルとする。即ち、本実施形態では、１Ｈライン反転駆動方式を採用するものとし、同一極性の画像信号を供給する画素に対応した近接する２つの走査線に対して、加速電圧書き込みを行うための選択電圧を同時に供給するものとする。ここで、加速電圧ＶODは、前述した第１の実施形態と同様に、白表示に必要な電圧に設定する。
【００５２】
つまり、走査線駆動回路１０は、１フレーム期間に走査線３１１を所定期間の間隔をもって２回駆動する。このとき、上記所定期間は各走査線３１１で異なる期間となる。また、本書き込みを行う走査線３１１と加速電圧書き込みを行う走査線３１１とは互いに重畳しないように駆動するものとする。
次に、第２の実施形態の動作について説明する。
【００５３】
図５は、第２の実施形態の動作を説明するためのタイムチャートである。
この図５において、Ｙｉはｉ行目の走査線３１１の信号、Ｘｊはデータ線２１１の信号（ＴＦＴ２４１のソース電圧）である。また、Ｖｃは正極性書込における画像信号および負極性書込における画像信号の中心電圧である。
あるフレーム期間において、時刻ｔ２１から時刻ｔ２２までの間、走査線駆動回路１０によって最初にｉ行目とｉ＋２行目の走査線３１１が選択されて、走査信号ＹｉとＹｉ＋２がＨレベルとなる。このとき、走査信号Ｙｉ及びＹｉ＋２がＨレベルとなるタイミングで、データ線駆動回路２０は、各データ線２１１に加速電圧ＶODに対応したデータ信号Ｘ１、Ｘ２、Ｘ３、…、Ｘ２４０を供給する。
【００５４】
走査信号Ｙｉ及びＹｉ＋２がＨレベルになると、ｉ行目とｉ＋２行目の走査線３１１に対応する画素におけるＴＦＴ２４１がオンするので、これらの画素電極２３１には、データ信号Ｘ１、Ｘ２、Ｘ３、…、Ｘ２４０が印加される。これにより、ｉ行１列〜ｉ行２４０列とｉ＋２行１列〜ｉ＋２行２４０列の画素容量１３０及び蓄積容量１４０の並列容量には、それぞれ加速電圧ＶODに応じた負極性の電圧が書き込まれる。
【００５５】
次に、時刻ｔ２３から時刻ｔ２４までの間、走査線駆動回路１０によってｉ＋１行目とｉ＋３行目の走査線３１１が選択されて、走査信号Ｙｉ＋１とＹｉ＋３がＨレベルとなる。このとき、走査信号Ｙｉ＋１及びＹｉ＋３がＨレベルとなるタイミングで、データ線駆動回路２０は、各データ線２１１に加速電圧ＶODに対応したデータ信号Ｘ１、Ｘ２、Ｘ３、…、Ｘ２４０を供給する。これにより、ｉ＋１行１列〜ｉ＋１行２４０列とｉ＋３行１列〜ｉ＋３行２４０列の画素容量１３０及び蓄積容量１４０の並列容量には、それぞれ加速電圧ＶODに応じた正極性の電圧が書き込まれる。
【００５６】
そして、時刻ｔ２４から時刻ｔ２５までの間、走査線駆動回路１０によってｉ行目の走査線３１１が選択されて、走査信号ＹｉがＨレベルとなる。このとき、走査信号ＹｉがＨレベルとなるタイミングで、データ線駆動回路２０は、各データ線２１１に、ｉ行目の走査線３１１に対応する画素の表示データＤａで指定された電圧のデータ信号Ｘ１、Ｘ２、Ｘ３、…、Ｘ２４０をそれぞれ供給する。これにより、ｉ行１列〜ｉ行２４０列の画素容量１３０及び蓄積容量１４０の並列容量には、それぞれ表示階調に応じた負極性の電圧が書き込まれる。
【００５７】
また、時刻ｔ２５から時刻ｔ２６までの間、走査線駆動回路１０によってｉ＋１行目の走査線３１１が選択されて、走査信号Ｙｉ＋１がＨレベルとなる。このとき、走査信号Ｙｉ＋１がＨレベルとなるタイミングで、データ線駆動回路２０は、各データ線２１１に、ｉ＋１行目の走査線３１１に対応する画素の表示データＤａで指定された電圧のデータ信号Ｘ１、Ｘ２、Ｘ３、…、Ｘ２４０をそれぞれ供給する。これにより、ｉ＋１行１列〜ｉ＋１行２４０列の画素容量１３０及び蓄積容量１４０の並列容量には、それぞれ表示階調に応じた正極性の電圧が書き込まれる。
【００５８】
同様に、時刻ｔ２６から時刻ｔ２７までの間、ｉ＋２行１列〜ｉ＋２行２４０列の画素容量１３０及び蓄積容量１４０の並列容量に、それぞれ表示階調に応じた負極性の電圧が書き込まれ、時刻ｔ２８から時刻ｔ２９までの間、ｉ＋３行１列〜ｉ＋３行２４０列の画素容量１３０及び蓄積容量１４０の並列容量に、それぞれ表示階調に応じた正極性の電圧が書き込まれる。
【００５９】
すなわち、ｉ行目の走査線３１１に着目すると、時刻ｔ２１で各データ線３１１に加速電圧ＶODが書き込まれるため、この時刻ｔ２１から本書き込みがなされる時刻ｔ２４までの２Ｈ期間は、各データ線３１１に印加される電圧は加速電圧ＶODを維持する。また、時刻ｔ２４から次の加速電圧書き込みが行われるまでの期間は、各データ線３１１に印加される電圧はそれぞれ表示階調に応じた画素電圧を維持する。
【００６０】
また、ｉ＋１行目の走査線３１１に着目すると、時刻ｔ２３で各データ線３１１に加速電圧ＶODが書き込まれるため、この時刻ｔ２３から本書き込みがなされる時刻ｔ２５までの４／３Ｈ期間は、各データ線３１１に印加される電圧は加速電圧ＶODを維持する。また、時刻ｔ２５から次の加速電圧書き込みが行われるまでの期間は、各データ線３１１に印加される電圧はそれぞれ表示階調に応じた画素電圧を維持する。
【００６１】
このように、それぞれ本書き込みが行われる所定期間（ｉ行目の走査線３１１の場合は２Ｈ、ｉ＋１行目の走査線３１１の場合は４／３Ｈ）前に、加速電圧書き込みがなされる。
なお、図示しないが、時刻ｔ２２から時刻ｔ２３までの間は、ｉ−１行目の走査線３１１の本書き込みが行われている。また、時刻ｔ２７から時刻ｔ２８までの間は、ｉ＋４行目とｉ＋６行目の走査線３１１の加速電圧書き込みが行われており、時刻ｔ２９から時刻ｔ３０までの間は、ｉ＋５行目とｉ＋７行目の走査線３１１の加速電圧書き込みが行われている。
【００６２】
このように、本書き込みを行う走査線３１１と加速電圧書き込みを行う走査線３１１とを互いに重畳しないように駆動している。ここで、本実施形態における本書き込み期間は、一般的なオーバードライブ駆動の３分の２（１Ｈの３分の２）程度となる。これを以下に詳述する。
本実施形態では、同時に２本の走査線３１１を駆動して加速電圧ＶODを印加するため、図５の時刻ｔ２４からｔ３０までの４Ｈ期間に、本書き込みを４回、加速電圧書き込みを２回行うことになる。したがって、本書き込み期間と加速電圧書き込み期間とを等期間に設定した場合であっても、本書き込み期間は２／３Ｈを確保することができる。
【００６３】
一方、前述した第１の実施形態では、１本ずつ走査線３１１を駆動して順次加速電圧ＶODを印加するため、図３の時刻ｔ８からｔ１３までの４Ｈ期間に、本書き込み及び加速電圧書き込みをそれぞれ４回ずつ行う必要がある。したがって、本書き込み期間と加速電圧書き込み期間とを等期間に設定した場合、本書き込み期間は１／２Ｈとなる。
このように、上記第２の実施形態では、走査線駆動回路は、同一極性の画像信号を供給する近接した複数の走査線に選択電圧を同時に供給し、データ線駆動回路は、複数の走査線に対応する画素に加速電圧を同時に印加するので、本書き込み期間を確保したまま、加速電圧を印加する期間を捻出することができる。そのため、低温時など、画素スイッチング素子の書き込み能力が低下した場合であっても、書き込み不足を抑制することができる。
【００６４】
なお、上記第２の実施形態においては、同時に２本の走査線３１１を駆動して加速電圧を印加する場合について説明したが、同時に３本以上の走査線３１１を駆動して加速電圧
を印加することもできる。このとき、同時選択する走査線３１１は、書き込み電圧の極性が同一な近接した走査線３１１であればよい。
また、上記第２の実施形態においては、本書き込み期間と加速電圧書き込み期間とを等期間に設定する場合について説明したが、加速電圧は正確な電圧にならなくても良いことから、加速電圧書き込み期間を本書き込み期間に比べて短く設定することもできる。これにより、本書き込み期間が短いことに起因する書き込み不足をより抑制することができる。
【００６５】
さらに、上記第２の実施形態においては、温度が高くなるにしたがって、加速電圧値や加速電圧の印加時間を小さくする制御を付け加えることもできる。これにより、例えば使用温度が高くなり、液晶の粘性が低くなった場合であっても、加速電圧による光学応答が階調表示に影響することを防止することができる。
次に、本発明における第３の実施形態について説明する。
【００６６】
この第３の実施形態は、前述した第１及び第２の実施形態において、本書き込みより手前でデータ線を介して加速電圧を印加することで画素電圧の絶対値を大きくしているのに対し、容量線の電圧を変化させることで、本書き込みより手前で画素電圧の絶対値を大きくするようにしたものである。
図６は、第３の実施形態における画素１２０の構成を示す図である。
【００６７】
この図６に示すように、各画素１２０は、画素容量（液晶容量）１３０と、スイッチング素子として機能するｎチャンネル型の薄型トランジスタ（以下、ＴＦＴと称す）２４１とを有する。各画素１２０については互いに同一構成であるため、ｉ行ｊ列に位置するもので代表して説明すると、当該ｉ行ｊ列の画素１２０において、ＴＦＴ２４１のゲートはｉ行目の走査線３１１に接続され、そのソースはｊ列目のデータ線２１１に接続され、そのドレインは画素容量１３０の一端たる画素電極２３１に接続されている。
【００６８】
また、画素容量１３０の他端は、コモン電極１１０である。このコモン電極１１０にはコモン電圧Ｖｃｏｍが印加されており、全ての画素１２０にわたって共通である。
そして、画素容量１３０では、画素電極２３１とコモン電極１１０との差電圧が保持されると共に、画素容量１３０の透過（または反射）光量が、当該保持電圧の実効値に応じて変化する構成となっている。
【００６９】
また、各画素１２０には、蓄積容量１４０が形成されている。この蓄積容量１４０の一端は、画素電極２３１（ＴＦＴ２４１のドレイン）に接続され、その他端は、ｉ行目の容量線２５１に接続されている。ここで、画素容量１３０及び蓄積容量１４０における容量値を、それぞれＣｐｉｘ及びＣｈとする。
すなわち、本実施形態では、画素１２０を構成する容量線２５１が、走査線毎に対応して設けられており、これらの容量線２５１の電圧は、図示しない容量線駆動回路によって行ごとに個別に駆動可能となっている。そして、本書き込み前の所定期間、容量線２５１の電圧を変化させるように構成されている。なお、このときの極性はどちらでもよい。
【００７０】
次に、第３の実施形態の動作について説明する。
図７は、第３の実施形態の動作を説明するタイムチャートである。
この図７において、Ｙｉはｉ行目の走査線３１１の信号、Ｘｊはデータ線２１１の信号（ＴＦＴ２４１のソース電圧）、Ｖｈは容量線２５１の電圧である。また、Ｖｃは正極性書込における画像信号および負極性書込における画像信号の中心電圧である。なお、ここでは、説明を簡略化するために、加速電圧書き込みの４Ｈ後に、本書き込みが行われるものとする。
【００７１】
ｉ行目の走査線３１１について着目すると、先ず、時刻ｔ３１で、容量線駆動回路によって容量線２５１の電圧をΔＶｈだけ変化させる。そして、時刻ｔ３２から時刻ｔ３３までの間、走査線駆動回路１０によってｉ行目の走査線３１１が選択されて、走査信号ＹｉがＨレベルとなる。このとき、走査信号ＹｉがＨレベルとなるタイミングで、データ線駆動回路２０は、各データ線２１１に、ｉ行目の走査線３１１に対応する画素の表示データＤａで指定された電圧のデータ信号Ｘ１、Ｘ２、Ｘ３、…、Ｘ２４０をそれぞれ供給する。これにより、ｉ行１列〜ｉ行２４０列の画素容量１３０及び蓄積容量１４０の並列容量には、それぞれ表示階調に応じた正極性の電圧が書き込まれる。
【００７２】
これにより、ｉ行目の走査線３１１に対応した画素１２０の画素電圧の絶対値は、図中ハッチング部に示すように、容量線２５１の電圧Ｖｈを変化させた時刻ｔ３１から本書き込みが行われる時刻ｔ３２までの４Ｈ期間、容量線２５１の電圧Ｖｈを変化させる前と比較して大きくなる。そして、時刻ｔ３２から次の容量線２５１の電圧変化が行われるまでの期間は、画素電圧の絶対値は、表示階調に応じた大きさを維持する。このように、本書き込みが行われる前の一定期間（ここでは、４Ｈ）、加速電圧ＶODの印加に相当する画素電圧の変化ΔＶｐｉｘが行われて、加速電圧書き込みがなされる。
【００７３】
ここで、画素電圧の変化ΔＶｐｉｘは、概ね次式で表される。
ΔＶｐｉｘ＝（Ｃｈ／（Ｃｈ＋Ｃｐｉｘ））・ΔＶｈ  ………（１）
このように、上記第３の実施形態では、走査線駆動回路により選択電圧を供給する前の所定期間、容量線の電圧を変化させるので、本書き込みより手前の所定期間、画素電圧の絶対値を容量線の電圧を変化させる前と比較して大きくして、画素に所定の加速電圧を印加することができる。そのため、フレームメモリやルックアップテーブル等を設けることなく、表示パネルの応答を早めて画像表示の品質を向上させることができる。
【００７４】
また、本書き込み期間を全く短くすることなく、加速電圧を印加する期間を捻出することができるため、低温時など、画素スイッチング素子の書き込み能力が低下した場合であっても、書き込み不足を確実に防止することができる。
なお、表示階調に応じた電圧に所定の電圧だけ加減算した電圧を本書き込み時に画素に印加しておき、本書き込みから所定の期間が経過した後に、容量線の電圧を変化させて、画素電圧の絶対値を小さくし、表示階調に応じた画素電圧にすることでも、同様に表示パネルの応答を早めることが出来、同様の効果を得る。
【００７５】
なお、上記第３の実施形態においては、温度が高くなるにしたがって、容量線２５１の電圧変化量や電圧変化時間を小さくする制御を付け加えることもできる。これにより、例えば使用温度が高くなり、液晶の粘性が低くなった場合であっても、加速電圧による光学応答が階調表示に影響することを防止することができる。
なお、上記各実施形態においては、走査線駆動回路１０で、飛び越し走査方式（インタレース方式）による駆動方式を採用することもできる。これにより、加速電圧の印加に伴って駆動電圧に生じる光学応答のリップルの見かけ上の周波数を高くすることができ、当該リップルに起因するチラツキ等の発生を抑制して、表示パネルの表示性能を向上させることができる。また、この場合、１行ずつ飛び越し走査をする場合に限らず、隣接する複数本の走査線を飛び越して走査することもできる。
【００７６】
また、上記各実施形態においては、本発明を、液晶を用いた電気光学装置に適用する場合について説明したが、液晶以外の電気光学物質を用いた電気光学装置に適用することもできる。例えば、有機ＥＬや発光ポリマーなどのＯＬＥＤ素子を電気光学物質として用いた表示パネルや、着色された液体とこの液体に分散された白色の粒子とを含むマイクロカプセルを電気光学物質として用いた電気泳動表示パネル、極性が相違する領域ごとに異なる色に塗り分けられたツイストボールを電気光学物質として用いたツイストボールディス
プレイパネル、黒色トナーを電気光学物質として用いたトナーディスプレイパネル、ヘリウムやネオン等の高圧ガスを電気光学物質として用いたプラズマディスプレイパネルなど、各種の電気光学装置に対して本発明を適用することができる。
【００７７】
次に、上述した電気光学装置１を適用した電子機器について説明する。
図８は、電気光学装置１を適用した携帯電話１２００の構成を示す斜視図である。
この図８に示すように、携帯電話１２００は、複数の操作ボタン１２０１のほか、受話口１２０２、送話口１２０３とともに、上述した表示領域１００を備えるものである。なお、電気光学装置１のうち、表示領域１００以外の構成要素については電話器に内蔵されるので、外観としては現れない。
【００７８】
また、電気光学装置１が適用される電子機器としては、図８に示される携帯電話の他にも、デジタルスチルカメラや、ノートパソコン、液晶テレビ、ビューファインダ型（またはモニタ直視型）のビデオレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示装置として、上述した電気光学装置１が適用可能であることは言うまでもない。
【図面の簡単な説明】
【００７９】
【図１】第１の実施形態における電気光学装置の構成を示すブロック図ある。
【図２】画素の構成を示す図である。
【図３】第１の実施形態の動作を説明するためのタイムチャートである。
【図４】一般的なオーバードライブ駆動と本実施形態におけるオーバードライブ駆動との違いを示す概念図である。
【図５】第２の実施形態の動作を説明するためのタイムチャートである。
【図６】第３の実施形態における画素の構成を示す図である。
【図７】第３の実施形態の動作を説明するためのタイムチャートである。
【図８】本発明の電気光学装置を適用した携帯電話を示す図である。
【符号の説明】
【００８０】
１…電気光学装置、１０…走査線駆動回路、２０…データ線駆動回路、３０…制御回路、１１０…コモン電極、１２０…画素、１３０…画素容量、１４０…蓄積容量、２１１…データ線、２３１…画素電極、２４１…ＴＦＴ、２５１…容量線、３１１…走査線、１２００…携帯電話
【図１】
2008275968.tif 000003
【図２】
2008275968.tif 000004
【図３】
2008275968.tif 000005
【図４】
2008275968.tif 000006
【図５】
2008275968.tif 000007
【図６】
2008275968.tif 000008
【図７】
2008275968.tif 000009
【図８】
2008275968.tif 000010